(57)【特許請求の範囲】
【請求項１】
軸筒先方部に熱変色インクを塗出可能な筆記体を備え、軸筒後方部に熱変色インクを変色可能な摩擦部材を搭載した熱変色筆記具であって、軸筒の後方部位に筒部とガイド筒を介してオレフィン系エラストマー、２種以上のゴム弾性材料の混合物、又は、ゴム弾性材料と合成樹脂との混合物で構成された摩擦部材を収納して後軸の内孔部には内面に螺旋溝が形成された筒部が一体的に設けられ、筒部の内孔には後方側にスリットを有し後端に筒部の後端に当接する天冠を備えたガイド筒が筒部に対して回転のみ自由に止着され、更にガイド筒の内孔には外周部に突起を有したホルダーが、突起とスリットを介して螺旋溝に嵌入されてホルダーに摩擦部材が止着されると共に、ガイド筒の先方にカム部を有したノック棒が固着状態となり、ノック棒の軸推移により軸筒の先端から筆記体の先端が突出状態と成り、更に軸筒外周にはキャップを設け、キャップ後端部で、開口部を常時遮蔽する摩擦部材を被覆又は露出状態となるように蓋部を設け、キャップ後端部の基部にキャップと蓋部との相互間にスプリングを附勢して回動自在に取付けると共に、キャップを軸筒外周に軸推移のみ可能に被嵌して、相互間に軸推移を阻止するロック装置を設けて、ロック装置を解除した状態でキャップを先方に推移させた時、蓋部の内側面が摩擦部材を避けたガイド筒後端の天冠の角に接触しながら拡開して摩擦部材が開口部より露出して軸推移が阻止され、摩擦部材が使用状態となるように構成され、前記筆記体は、熱変色インクに可逆熱変色性マイクロカプセル顔料が用いられ、前記可逆熱変色性マイクロカプセル顔料をインク組成物全量に対し４〜３０重量％配合した熱変色性芯であるシャープペンシル筆記体であることを特徴とする熱変色筆記具。
【発明の詳細な説明】
【技術分野】
【０００１】
本発明は、先方部に筆記体を備え、後方部に熱変色インクを変色可能な摩擦部材を搭載した熱変色筆記具に関する。
【背景技術】
【０００２】
従来、筆跡を熱変色させて変色する筆記具は先方部に筆記部を備え、筆記部を繰り出す為の機構部を内蔵した軸筒と、軸筒の後方部に筆跡を変色する摩擦部材が備えられた筆記具が知られている。然しながら、従来のものはキャップの後端が開口している為に摩擦部材の端面にゴミが付着したり、外界に露出している為に光線（特に紫外線）に晒され劣化により固くなり摩擦熱の発生効率が著しく悪くなる。
そこで、軸筒に対してキャップを回転することによってキャップを着脱し、軸筒の後端から摩擦部材を露出及び収納可能としたものも開示されている（特許文献１）。
【先行技術文献】
【特許文献】
【０００３】
【特許文献１】特開２０１４−１２４８１０
【発明の概要】
【発明が解決しようとする課題】
【０００４】
この特許文献１に開示された筆記具は、書いたり、見えなくする時に頻繁にキャップを回転して摩擦部材を露出することが必要になり操作が煩雑である。そこで、本発明の課題はそのような問題点を解決することにある。
【課題を解決するための手段】
【０００５】
課題を達成するための本発明の熱変色筆記具は、軸筒先方部に熱変色インクを塗出可能な筆記体を備え、軸筒後方部に熱変色インクを変色可能な摩擦部材を搭載した熱変色筆記具であって、軸筒内部に摩擦部材を収容し、軸筒外周にキャップを設け、キャップの開口部を常時遮蔽する摩擦部材を被覆又は露出状態となるように蓋部を設け、キャップを軸筒外周に軸推移のみ可能に被嵌して、相互間に軸推移を阻止するロック装置を設けて、ロック装置を解除した状態でキャップを先方に推移させた時、蓋部が開放して摩擦部材が開口部より露出して軸推移が阻止され、摩擦部材が使用状態となるように構成されたことを特徴とする熱変色筆記具である。
【０００６】
さらに、軸筒先方部に熱変色インクを塗出可能な筆記体を備え、軸筒後方部に熱変色インクを変色可能な摩擦部材を搭載した熱変色筆記具であって、軸筒の後方部位に筒部とガイド筒を介して摩擦部材を収納して後軸の内孔部には内面に螺旋溝が形成された筒部が一体的に設けられ、筒部の内孔には後方側にスリットを有し後端に筒部の後端に当接する天冠を備えたガイド筒が筒部に対して回転のみ自由に止着され、更にガイド筒の内孔には外周部に突起を有したホルダーが、突起とスリットを介して螺旋溝に嵌入されてホルダーに摩擦部材が止着されると共に、ガイド筒の先方部を軸筒と回転方向で一体的にして、軸筒の先端から筆記体の先端が突出状態と成り、更に軸筒外周にはキャップを設け、キャップ後端部で、開口部を常時遮蔽する摩擦部材を被覆又は露出状態となるように蓋部を設け、キャップ後端部の基部にキャップと蓋部との相互間にスプリングを附勢して回動自在に取付けると共に、キャップを軸筒外周に軸推移のみ可能に被嵌して、相互間に軸推移を阻止するロック装置を設けて、ロック装置を解除した状態でキャップを先方に推移させた時、蓋部の内側面が摩擦部材を避けたガイド筒後端の天冠の角に接触しながら拡開して摩擦部材が開口部より露出して軸推移が阻止され、摩擦部材が使用状態となるように構成されたことを特徴とする熱変色筆記具とすることが好ましい。
【発明の効果】
【０００７】
本発明の熱変色筆記具の構成及び作用は以上の如くであり、摩擦部材の端面にゴミが付着したり、外界に露出して摩擦部材が劣化し、消字性が悪くなるのを防止できる。又、摩擦部材を使用する時は先軸に対してキャップを軸推移すれば良いので片手でキャップを取り外すことが容易で簡易な構造であるため、使い勝手が良い。又更に蓋部で摩擦部材が遮蔽されるのでノックした時に指を汚したり、また、摩擦部材に油分が付着して消字性を悪くしたり紙面を擦って汚すなどの問題が回避できる。また、摩擦部材を交換可能とすることで摩擦部材が汚れ、摩耗により消耗しても新しい摩擦部材を装着することができる。
【図面の簡単な説明】
【０００８】
【図１】本発明の実施例を示す縦断面図で、摩擦部材を収納した状態を示している。
【図２】本発明の実施例で、釦を押圧して軸推移させ蓋部が開く途中の状態を示した要部縦断面図である。
【図３】本発明の実施例で、蓋部が拡開して摩擦部材が突出し、且つ先軸に対してキャップを適宜回転して摩擦部材が天冠から順次突出する状況を示した要部縦断面図である。
【発明を実施するための形態】
【０００９】
図１乃至図３は本考案の実施例を示している。先ず、図１に示す様にキャップ４の後端で開口部２１近傍の外周部に設けた基部１０にキャップ４と蓋部８との相互間にスプリング１８を附勢して蓋部８を軸外周方向に回動自在に取付けると共に、蓋部８は常時開口部２１を遮蔽する様に構成されている。又、基部１０にはクリップ１４が固着されている。軸筒は後軸１と先軸３５から構成され、キャップ４は後軸１の外周部に軸推移可能に嵌合されるが、後軸１の外周部には２箇所の係止溝１２、１３が形成され、それと対向してキャップ４の基部１０には前端に突状の係止部１１と後端に釦１６を有したロック装置９が中間の止着部１５でピン等を介して適宜回動するように取付けられている。又、ロック装置９はキャップ４に設けた窓部に嵌装しており、ロック装置９の釦１６はクリップ１４に穿設された窓部２８から適宜突出して、キャップ４の座部３と釦１６の下部との間にはスプリング２が附勢されて釦１６を押圧することにより係止部１１が昇降するように構成されている。
【００１０】
図１の状態では係止部１１が後軸１の係止溝１２に係合している。又、キャップ４はロック装置９に解除により後軸１に対して軸推移するが回転方向には阻止される。然しながら、回転方向の阻止を確実にする為にキャップ４の内周部と後軸１の外周部には適宜に回転止め部１９が施されている。
【００１１】
ところで、後軸１の内孔部には内面に螺旋溝２４が形成され、先端近傍には段部２０を有した筒部６が後軸１と一体的に設けられている。尚、筒部６は別体で後軸に固着されても良いが、後軸と一体成形で形成されても良い。又、筒部６の内孔には後方側にスリット２３を有し、後端に筒部６の後端に当接するツバ状の天冠２２を備え、略中央部には溝２５が形成され、先方側には内孔部に適宜突起２７を有した軸部２６を有したガイド筒７が天冠を筒部６の後端に当接し、溝２５を段部２０に係合して筒部６に対して回転方向のみ自由に止着されている。更に、ガイド筒７の内孔には外周部に突起３１を有したホルダー３０が突起３１をスリット２３に挿通し、更に筒部６の螺旋溝２４に嵌入させると共に、ホルダー３０の先端には熱変色インクを変色可能とした摩擦部材５が挿入されている。
【００１２】
また、ガイド筒７先方の軸部２６の内孔には突起２７が形成されており、その内孔に先方にカム部３８を有したノック棒３２の軸部３３が嵌装され、軸部に形成された溝３４が突起２７に係合してガイド筒７とノック棒３２は固着状態となっている。一方、先軸３５の後方内径部には円周上で複数の溝とリブで構成され、その先端にカム部を備えた通称カム溝３７が形成されて、やはり円周上で複数の溝とリブを備えたノック棒３２のカム部３８がカム溝３７に迎合してその底部に位置決めされると共に先軸３５の後端面と後軸１の先端面との間にはスプリング２９が附勢されてノック棒３２は先軸３５との間で軸推移のみ可能に配設されている。又、キャップ４は先軸３５の後端外周部に適宜被覆状態となっている。
【００１３】
また、ノック棒３２の前面にはカム部３８と対接してやはりカム溝３７に迎合する溝とリブで構成されたカム部４０を備えた回転カム部材３９が配設され、該回転カム部材３９の中心孔には有底の継ぎパイプ４９が固着されてその後方部位はノック棒３２の中心孔に遊嵌している。ところで、カム溝３７はカム部４０を嵌入可能な深い溝と嵌入不能な浅い溝が一つ置きに形成されていて、ノック棒３２の軸推移ごとにカム溝の割出し角度ずつ回転しながらカム溝の先端カム部に係合して前進位置、カム溝に嵌入して後退位置に位置決めされる。カム溝３７、ノック棒３２、回転カム部材３９で構成されるノック機構部はよく知られるカーン式ノック機構又はダブルノック機構と称されるものと同様の構成を成すものであり詳しい構成は省略する。
【００１４】
一方、継ぎパイプ４９の有底部に後端を当接させてボールペン筆記体４５が嵌装される。又、ボールペン筆記体４５のインクを充填したチューブ５０の周面には適宜にヒダ４６が形成されている。また、先軸３５の先端には内径段部４４を有した口プラ４２が接合部４３で螺合等により止着され、内径段部４４とヒダ４６との間にはリターンスプリング４８がボールペン筆記体４５を先軸内に引き込むように常時附勢している。又、先軸３５の内径部には回転カム部材３９が最前進した位置よりやや前に突起４１が形成され、口プラ４２を外した時に回転カム部材３９が先軸３５の先端から離脱しないように設けられている。
【００１５】
ボールペン筆記体４５は、チューブ５０の内部に熱変色インクを充填し、先端部には筆記ボールが保持されたボールペンチップである筆記先端部４７が装着されている。熱変色インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色インクを用いた筆記具１では第２色を無色とし、第１色（例えば赤）で筆記した描線を昇温させて無色とする構成でもよい。従って、描線が筆記された紙面等に対して摩擦部材５によって擦過して摩擦熱を生じさせ、それによって描線を無色に変化させる。なお、当然のことながら第２色は、無色以外の有色でもよい。さらに具体的な詳細を説明するとインクに含まれる色材は、（Ａ）電子供与性呈色性有機化合物、（Ｂ）電子受容性化合物、及び（Ｃ）両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。可逆熱変色性マイクロカプセル顔料は、粒子径の平均値が０．１〜５．０μｍ、好ましくは０．５〜２μｍの範囲にあることが好ましい。可逆熱変色性マイクロカプセル顔料は、インク組成物全量に対し、好ましくは４〜３０重量％配合することが好ましい。
また、本実施例ではボールペン筆記体４５は、熱変色芯として熱変色芯を繰り出すシャープペンシル筆記体とすれば熱変色シャープペンシルとしての用いることができる。
【００１６】
摩擦部材５は、紙面等との摩擦動作によって熱変色インクを変色可能とし、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物で構成されたものが挙げられる。
【００１７】
本発明の熱変色筆記具は以上のように構成されており、作用としては、摩擦部材５の未使用時には蓋部８で摩擦部材５が被覆状態になっている（図１参照）。摩擦部材５を使用する時にはロック装置９の釦１６を押圧した状態でキャップ４を先方に軸推移すると、止着部１５を支点にして蓋部８の内側面が摩擦部材５を避けた天冠２２の角部を接触しながら拡開して（図２参照）摩擦部材５がキャップ４の開口部２１から露出する。そのとき、ロック装置９の係止部１１は係止溝１２から離脱して係止溝１３に係合する。（図３参照）この状態でキャップ４を掴んで摩擦部材５で紙面を擦ってもキャップ４が後軸１に対して軸推移しないよう阻止している。又、摩擦部材５の消耗に伴い先軸３５に対してキャップ４を回転すれば摩擦部材５は順次突出する。
【００１８】
再び摩擦部材５を収納する場合には、釦１６を押圧した状態でキャップ４を後軸１に対して後方に軸推移させれば良いが、係止溝１３の形状を釦１６の押圧をしないで字消しに耐える適度な力で係合状態が解除される様にも構成できる。又、摩擦部材５を収納した状態に於いては釦１６を押圧した時のみ係止部１１と係止溝１２の係合が解除されるのが望ましい。
【００１９】
又、先軸３５に対してキャップ４を軸推移するごとにそれと連動するノック機構によりボールペン筆記体４５の筆記先端部４７が口プラ４２の先端孔より出没する。
【符号の説明】
【００２０】
１後軸
２スプリング
３座部
４キャップ
５摩擦部材
６筒部
７ガイド筒
８蓋部
９ロック装置
１０基部
１１係止部
１２係止溝
１３係止溝
１４クリップ
１５止着部
１６釦
１７止着部
１８スプリング
１９回転止め部
２０段部
２１開口部
２２天冠
２３スリット
２４螺旋溝
２５溝
２６軸部
２７突起
２８窓部
２９スプリング
３０ホルダー
３１突起
３２ノック棒
３３軸部
３４溝
３５先軸
３６段部
３７カム溝
３８カム部
３９回転カム部材
４０カム部
４１突起
４２口プラ
４３接合部
４４内径段部
４５ボールペン筆記体
４６ヒダ
４７筆記先端部
４８リターンスプリング
４９継ぎパイプ
５０チューブ
【図１】
0006579738.tif 000002
【図２】
0006579738.tif 000003
【図３】
0006579738.tif 000004